(57)【要約】【課題】  ホルダを使用者の頭部に安定よくしっかりと装着できるとともに、ホルダに対して表示ユニットをワンタッチで簡単に着脱することができる頭部装着型表示装置を提供する。【解決手段】  画像を表示する表示ユニット１と、該表示ユニッ１を使用者の頭部Ａに保持して使用者の眼前に配置するための頭部保持用ホルダ２を備えた頭部装着型表示装置において、前記頭部保持用ホルダ２は使用者の頭部に巻回して締結することが可能なベルト２ａで形成され、該ベルト２ａと表示ユニット１とが手先で着脱することが可能な止着具６を介して結合されている構造。【選択図】図４
2008258784.tif 000002
【特許請求の範囲】
【請求項１】
画像を表示する表示ユニットと、該表示ユニットを頭部に保持して使用者の眼前に配置するための頭部保持用ホルダを備えた頭部装着型表示装置において、
前記頭部保持用ホルダは使用者の頭部に巻回して締結することが可能なベルトで形成され、該ベルトと表示ユニットとが手先で着脱することが可能な止着具を介して結合されていることを特徴とする頭部装着型表示装置。
【請求項２】
前記ベルトに、表示ユニットの止着具を受け止める受け部材が設けられていることを特徴とする請求項１に記載の頭部装着型表示装置。
【請求項３】
前記止着具が、手先で開閉することが可能な挟着部を有するクリップである請求項１または請求項２に記載の頭部装着型表示装置。
【請求項４】
前記止着具が、表示ユニットの左右両側に対称に配置されていることを特徴とする請求項１〜請求項３のいずれかに記載の頭部装着型表示装置。
【請求項５】
前記表示ユニットから延びるケーブルの中間部に、該ケーブルの中間部分を頭部保持用ホルダの任意の位置に止着するためのクリップが設けられていることを特徴とする請求項１〜請求項４のいずれかに記載の頭部装着型表示装置。
【発明の詳細な説明】
【技術分野】
【０００１】
本発明は、ウエアラブルコンピュータやパーソナルコンピュータの出力画像、テレビジョン画像、各種作業遂行のための画像等を視認するのに適した頭部装着型表示装置に関する。
【背景技術】
【０００２】
従来から、各種画像を表示する表示ユニットを頭部に保持して、観察者の左右の何れかの眼球の前方に配置するための頭部保持用ホルダを備えた単眼タイプの頭部装着型表示装置が知られている（例えば特許文献１や特許文献２等参照）。
【特許文献１】特開２００１−７５４９６号公報
【特許文献２】特開２００１−３１８３３６号公報
【発明の開示】
【発明が解決しようとする課題】
【０００３】
従来の頭部装着型表示装置のホルダの形状として、上記特許文献に示すようなＵ字形の形状のものの他に、リング状の形状、或いはヘッドカバーの形状のものがあるが、これらホルダ−では様々な頭部形状の個人差に対して十分な対応がなされていない。例えば、Ｕ字形のホルダでは、その開口部を縮小させる弾力を発生するようにバネを組み込んだり、ホルダの側部の少なくとも一部を弾性材で形成したりするなどして頭部側部に弾力的に押しつけて保持するようにしているが、頭部形状の個人差によって装着時の押しつけ具合が違なるため、使用時に激しい動作が伴うとホルダがずれて表示画像を視認できなくなることがあった。
【０００４】
更に、単眼タイプの頭部装着型表示装置では、使用者の利き眼や好みに合わせて表示ユニットの位置を左右に切り替える必要があり、そのために表示ユニットをホルダから取り外す必要がある。また、不使用時の格納や持ち運びのためにも表示ユニットをホルダから取り外しできるようにすることが好ましい。従来では、この取り外しや再取り付けのために、ネジなどで連結してドライバー等の工具やつまみ等を回動することにより行っているが、ネジによる結合部分の構造が複雑となるとともに操作が煩雑であって利便性が非常に悪かった。
【０００５】
また、表示ユニットに接続されるケーブルは使用者の動きを制限しないように余裕を持たせて長く設定されているので、その中間部分が使用者の顔面で垂れ下がる傾向にあり、表示画像の視認や他方の目の視野に邪魔になる等の弊害があった。
そこで本発明は、上記課題の解消を図るとともに利便性に優れた頭部装着型表示装置を提供することを目的とするものである。
【課題を解決するための手段】
【０００６】
上記課題を解決するために本発明では次のような技術的手段を講じた。即ち、本発明にかかる頭部装着型表示装置は、画像を表示する表示ユニットと、該表示ユニットを頭部に保持して使用者の眼前に配置するための頭部保持用ホルダを備えた頭部装着型表示装置において、前記頭部保持用ホルダは使用者の頭部に巻回して締結することが可能なベルトで形成され、該ベルトと表示ユニットとが手先で着脱することが可能な止着具を介して結合されている構成とした。
【０００７】
上記ベルトは、布や皮革又は合成樹脂等のフレキシブルな帯状材で作られ、簡単に締め付けたり緩めたりすることができるような構造とするのがよい。また、上記止着具は表示ユニット側に設けるとともに、この止着具を安定よく受け止めるための受け部材をベルトに設けるのがよい。
【発明の効果】
【０００８】
この発明によれば、頭部保持用ホルダが使用者の頭部に巻回して締結することが可能なベルトで形成されているので、頭部形状の個人差に関わりなく常にしっかりと頭部に装着することができて、使用中におけるホルダのズレの発生を未然に防止することができると共に、頭部に装着されたホルダに対して表示ユニットが手先で着脱することが可能な止着具を介して結合されているので、工具を使用することなく手先による極めて簡単な操作で表示ユニットをホルダから取り外し、または取り付けることができ、加えて、使用者の利き眼や好みに合わせて表示ユニットの位置を左右に切り替える場合は、単にベルトを左右方向にずらすだけですみ、これにより、使い勝手のよい頭部装着型表示装置を実現することができる、といった優れた効果がある。
【０００９】
（その他の課題を解決するための手段および効果）
上記発明において、表示ユニットをホルダに結合する止着具は、手先で開閉することが可能な鋏着部を有するクリップで形成するのが好ましい。
これにより、構造が簡単となると共に、表示ユニットをワンタッチで着脱することができる。
【００１０】
また、上記発明において、前記止着具を表示ユニットの左右両側に対称に配置し、この止着具をベルトに設けた受け部材に結合させる構造とするのがよい。
これにより、表示ユニットをベルトに対して左右バランスのとれた状態で安定よく取り付けることができる。
【００１１】
更に、上記発明において、前記表示ユニットから延びるケーブルの中間部に、該ケーブルの中間部分をホルダの任意の位置に止着するためのクリップを設けた構造とするのがよい。
これにより、垂れ下がったケーブルの中間部分をホルダの任意の位置に整理良く保持することができて、表示画像の視認や他方の目の視野に邪魔になること防止することができる。
【発明を実施するための最良の形態】
【００１２】
以下、本発明の実施形態について図面を用いて説明する。尚、本発明は、以下に説明するような実施形態に限定されるものではなく、本発明の趣旨を逸脱しない範囲で種々の態様が含まれることはいうまでもない。
【００１３】
図１は本発明にかかる頭部装着型表示装置の一実施例を示すものであって、画像を表示する表示ユニット１と、該表示ユニットを使用者の頭部Ａに保持して使用者の眼前に配置するための頭部保持用ホルダ２とを備えている。
【００１４】
表示ユニット１は、使用者が携帯するウエアラブルコンピュータ（図示外）等の画像形成装置からケーブル３を介して送られる画像信号を、内蔵する光学系を介して表示する表示器４を備える。表示器４は液晶ディスプレイ、有機ＥＬ等を用いることができ、また、透過型、反射型などがあるが、これらに限定されない。
【００１５】
前記表示ユニット１のボデイ５の左右側に、手先で着脱することが可能な一対の止着具６が設けられている。本実施例では、この止着具６は、操作部６ａを指先で圧迫することにより先端の狭着部６ｂが軸６ｃを支点として弾力的に開閉する鋏状の形態で形成されている。
【００１６】
頭部保持用ホルダ２は使用者の頭部Ａに巻回して締結することが可能なベルト２ａで形成されている。該ベルト２ａは、布や皮革又は合成樹脂等のフレキシブルな帯状材によりリング状に作られ、頭部Ａに対して簡単に締め付けたり緩めたりすることができるように伸縮可能に形成されている。尚、ベルトを伸縮させる手段としては、例えば吊り下げカバンのベルトや時計のバンドのような公知の各種締付けバンドの伸縮手段を用いることができる。
【００１７】
頭部保持用ホルダのベルト２ａには、前記止着具としてのクリップ６を受け止める受け部材７が設けられている。この受け部材７は合成樹脂材等の硬質素材で形成され、前記クリップ６を受け入れて狭着することが可能な受板部７ａを備えている。また、使用者の頭部に接する背面には、スポンジ等の柔軟なクッション材を設けるのが好ましい。
【００１８】
表示ユニット１から使用者が携帯するウエアラブルコンピュータに連なるケーブル３の中間部に、該ケーブル３の中間部分を頭部保持用ホルダのベルト２ａの任意の位置に止着するためのクリップ８が設けられている。このクリップ８は、上記クリップ６と同様に、操作部８ａを指先で圧迫することにより先端の狭着部８ｂが軸８ｃを支点として弾力的に開閉する鋏状の形態で形成されている。
【００１９】
上記実施例で示した頭部装着型表示装置において、表示ユニット１は、図３に示すように、止着具としてのクリップ６を受け部材７の受板７ａに挟み込むことによって簡単にワンタッチで受け部材７に止着または取り外すことができる。また、取り付けられた姿勢において、表示ユニット１は左右のクリップ６によりバランスのとれた状態で安定よくしっかりと受け部材７に保持される。頭部保持用ホルダのベルト２ａは、布や皮革又は合成樹脂等のフレキシブルな帯状材で作られ、頭部Ａに対して簡単に締め付けたり緩めたりすることができるように伸縮可能に形成されているので、頭部形状の個人差に関わりなく常にしっかりと頭部に装着することができて、使用中におけるホルダのズレの発生を防止する。また、図４並びに図５に示すように、表示ユニット１から延びるケーブル３の中間部分をクリップ８でベルト２ａの任意の位置に止着することにより、ケーブル３の顔面での垂れ下がりをなくして整理良く保持することができ、表示画像の視認や他方の目の視野に邪魔になること防止する。また、使用者の利き眼や好みに合わせて表示ユニッ１の位置を左右に切り替える場合は、ベルトを左右方向にずらすだけで簡単に切り替えることができる。
【００２０】
尚、本発明では、表示ユニットの止着具として、乗物の安全ベルトに用いられているようなワンタッチでロック並びにロック解除する止着具を採用することも可能である。
【産業上の利用可能性】
【００２１】
本発明は、ウエアラブルコンピュータやパーソナルコンピュータの出力画像、テレビジョン画像、各種作業遂行のための画像等を視認する頭部装着型表示装置に適用される。
【図面の簡単な説明】
【００２２】
【図１】本発明にかかる頭部装着型表示装置の表示ユニット部分を示す斜視図。
【図２】上記頭部装着型表示装置のホルダ部分を示す斜視図。
【図３】上記頭部装着型表示装置において、表示ユニットをホルダの受け部材に取り付ける過程を示す斜視図。
【図４】上記頭部装着型表示装置において、ケーブルのクリップをホルダに止着する過程を示す斜視図。
【図５】上記頭部装着型表示装置を使用者の頭部に装着した状態を示す斜視図。
【符号の説明】
【００２３】
Ａ  使用者の頭部
１  表示ユニット
２  頭部保持用ホルダ
２ａ  ベルト
３  ケーブル
６  止着具としてのクリップ
【図１】
2008258784.tif 000003
【図２】
2008258784.tif 000004
【図３】
2008258784.tif 000005
【図４】
2008258784.tif 000006
【図５】
2008258784.tif 000007